(57)【要約】【課題】本発明は中継局の受信局を登録するメモリを圧迫することなく、効率的に中継送信を行うファクシミリシステムを提供する。【解決手段】ファクシミリシステム２０は、インターネットＩＮＴ及び公衆回線網ＰＬを介して中継送信依頼局であるファクシミリ装置ＦＡＸ−Ａが、中継局であるファクシミリ装置ＦＡＸ−Ｂに中継送信依頼要求を行うのに際して、受信局であるファクシミリ装置ＦＡＸ−Ｃ、ＦＡＸ−Ｄの電話番号またはアドレス等の受信局情報を予めファクシミリ装置ＦＡＸ−Ｂに送信して登録要求を行い、登録要求を受けたファクシミリ装置ＦＡＸ−Ｂが、送信されてきた受信局情報をシステムメモリ部に所定の登録番号に対応させて登録するとともに、登録番号をファクシミリ装置ＦＡＸ−Ａに送信し、ファクシミリ装置ＦＡＸ−Ａが、送信されてきた登録番号で受信局を指定した中継送信依頼要求を行う。【選択図】          図２
2005094582.tif 000002
【特許請求の範囲】
【請求項１】
所定のネットワークを介して中継送信依頼局と中継局が接続され、当該中継送信依頼局から当該中継局に受信局を指定した中継送信依頼要求を行って画情報を送信すると、当該中継局が、当該送信されてきた画情報を、当該指定された受信局に中継送信するファクシミリシステムであって、前記中継依頼局が、前記中継送信依頼要求に際して、前記中継送信先の受信局の電話番号またはアドレス等の受信局情報を予め前記中継局に送信して登録要求を行い、当該登録要求を受けた中継局が、当該送信されてきた受信局情報を受信局情報記憶手段に所定の登録番号に対応させて登録するとともに、当該登録番号を当該登録要求を行ってきた中継依頼局に送信し、当該中継依頼局は、当該送信されてきた登録番号に基づいて前記受信局を指定した前記中継送信依頼要求を行うことを特徴とするファクシミリシステム。
【請求項２】
前記中継局は、前記受信局情報記憶手段に登録した前記受信局情報を、所定の有効期間に基づいて管理し、当該有効期間の経過した受信局情報を当該受信局情報記憶手段から削除することを特徴とする請求項１記載のファクシミリシステム。
【請求項３】
前記中継局は、前記受信局情報記憶手段に登録した前記受信局情報を、当該受信局情報の受信局への前記中継送信が完了すると、当該受信局情報を当該受信局情報記憶手段から削除することを特徴とする請求項１記載のファクシミリシステム。
【請求項４】
前記ファクシミリシステムは、少なくとも前記中継依頼局から前記中継局への前記中継送信依頼をメール送信により行うことを特徴とする請求項１から請求項３のいずれかに記載のファクシミリシステム。
【発明の詳細な説明】
【技術分野】
【０００１】
本発明は、ファクシミリシステムに関し、詳細には、中継局の受信局を登録するメモリを圧迫することなく、効率的に中継送信を行うファクシミリシステムに関する。
【背景技術】
【０００２】
近時、ファクシミリ装置や通信網の発達に伴なって、遠隔の複数の相手先に同一の文書（画情報）を送信することが多くなっている。このような複数の遠隔の相手先に画情報を送信する場合、いわゆる中継送信を利用して送信することが行なわれる。
【０００３】
このようなファクシミリ通信方式においては、例えば、中継依頼局から中継局に受信局を指定して中継依頼を行なうと、中継局は、中継依頼局から送られてきた画情報を、一旦画像メモリに蓄積した後、所定時期に、画像メモリから読み出して、予め中継局に登録されている受信局の電話番号を使用して、当該受信局に送信し、また、さらに別の中継局の中継が必要なときには、当該別の中継局に中継依頼を行う。
【０００４】
このような他のファクシミリ装置からの中継依頼を受けて、受信した画情報を他のファクシミリ装置に中継送信するファクシミリ装置としては、例えば、本出願人が先に出願したファクシミリ装置（特許文献１公報参照）がある。
【０００５】
このファクシミリ装置は、中継送信の受信局番号を送出するように相手機からのＤＴＭＦ（Dual Tone Multifrequency）を検出する検出部を備え、中継依頼機能を有しないファクシミリ装置や他のメーカーのファクシミリ装置からの中継依頼送信をＤＴＭＦ信号により容易に受け付けるものである。
【０００６】
また、従来から、ファクシミリ中継送信においては、全ての送信相手先の電話番号等の受信局情報を中継グループ番号により各中継局に予め登録し、中継依頼局が中継グループ番号を指示することにより、中継依頼を受けた中継局が当該中継グループ番号で登録されている全ての受信局に画情報を同報送信する多段中継同報送信方式が採用されている（特許文献２参照）。
【０００７】
【特許文献１】特開平７−１７７３３４号公報
【特許文献２】特開平３−１６０８７１号公報
【発明の開示】
【発明が解決しようとする課題】
【０００８】
しかしながら、上記従来技術にあっては、中継依頼送信する場合、予め中継局に受信局の電話番号を登録しておく必要があり、また、このように登録されている受信局の電話番号は、当該中継局で通常のファクシミリ送信時に使用する電話番号であるとは限らない電話番号であり、このような電話番号を中継を行うためにのみ継続して登録しておく必要があり、中継用の受信局の電話番号を記憶するメモリの容量が大きくなり、コストが高くなるだけでなく、当該電話番号を中継局で手操作で登録する手間がかかり、利用性が悪いという問題があった。
【０００９】
そこで、請求項１記載の発明は、所定のネットワークを介して中継局に接続された中継送信依頼局が、中継送信依頼要求に際して、中継送信先の受信局の電話番号またはアドレス等の受信局情報を予め中継局に送信して登録要求を行い、当該登録要求を受けた中継局が、当該送信されてきた受信局情報を受信局情報記憶手段に所定の登録番号に対応させて登録するとともに、当該登録番号を当該登録要求を行ってきた中継依頼局に送信し、当該中継依頼局が、当該送信されてきた登録番号に基づいて受信局を指定した中継送信依頼要求を行うことにより、予め中継局に受信局の電話番号等の受信局情報を登録しておく必要がなく、受信局情報を記憶する中継局の受信局情報記憶手段の容量を削減し、コストを低減させるとともに、受信局情報を中継局で手操作で登録する手間を削減して、利用性の良好なファクシミリシステムを提供することを目的としている。
【００１０】
請求項２記載の発明は、中継局が、受信局情報記憶手段に登録した受信局情報を、所定の有効期間に基づいて管理し、当該有効期間の経過した受信局情報を当該受信局情報記憶手段から削除することにより、中継局の受信局情報を記憶する受信局情報記憶手段をより一層有効利用して、当該受信局情報記憶手段の容量をより一層削減し、コストをより一層低減させるファクシミリシステムを提供することを目的としている。
【００１１】
請求項３記載の発明は、中継局が、受信局情報記憶手段に登録した受信局情報を、当該受信局情報の受信局への中継送信が完了すると、当該受信局情報を当該受信局情報記憶手段から削除することにより、中継局の受信局情報を記憶する受信局情報記憶手段をより一層有効利用して、当該受信局情報記憶手段の容量をより一層削減し、コストをより一層低減させるファクシミリシステムを提供することを目的としている。
【００１２】
請求項４記載の発明は、少なくとも中継依頼局から中継局への中継送信依頼をメール送信により行うことにより、電話料金を削減しつつ、中継局の受信局情報を記憶する受信局情報記憶手段の容量を削減し、コストを低減させるとともに、受信局情報を中継局で手操作で登録する手間を削減して、利用性の良好なファクシミリシステムを提供することを目的としている。
【課題を解決するための手段】
【００１３】
請求項１記載の発明のファクシミリシステムは、所定のネットワークを介して中継送信依頼局と中継局が接続され、当該中継送信依頼局から当該中継局に受信局を指定した中継送信依頼要求を行って画情報を送信すると、当該中継局が、当該送信されてきた画情報を、当該指定された受信局に中継送信するファクシミリシステムであって、前記中継依頼局が、前記中継送信依頼要求に際して、前記中継送信先の受信局の電話番号またはアドレス等の受信局情報を予め前記中継局に送信して登録要求を行い、当該登録要求を受けた中継局が、当該送信されてきた受信局情報を受信局情報記憶手段に所定の登録番号に対応させて登録するとともに、当該登録番号を当該登録要求を行ってきた中継依頼局に送信し、当該中継依頼局は、当該送信されてきた登録番号に基づいて前記受信局を指定した前記中継送信依頼要求を行うことにより、上記目的を達成している。
【００１４】
この場合、例えば、請求項２に記載するように、前記中継局は、前記受信局情報記憶手段に登録した前記受信局情報を、所定の有効期間に基づいて管理し、当該有効期間の経過した受信局情報を当該受信局情報記憶手段から削除するものであってもよい。
【００１５】
また、例えば、請求項３に記載するように、前記中継局は、前記受信局情報記憶手段に登録した前記受信局情報を、当該受信局情報の受信局への前記中継送信が完了すると、当該受信局情報を当該受信局情報記憶手段から削除するものであってもよい。
【００１６】
さらに、例えば、請求項４に記載するように、前記ファクシミリシステムは、少なくとも前記中継依頼局から前記中継局への前記中継送信依頼をメール送信により行うものであってもよい。
【発明の効果】
【００１７】
請求項１記載の発明のファクシミリシステムによれば、所定のネットワークを介して中継局に接続された中継送信依頼局が、中継送信依頼要求に際して、中継送信先の受信局の電話番号またはアドレス等の受信局情報を予め中継局に送信して登録要求を行い、当該登録要求を受けた中継局が、当該送信されてきた受信局情報を受信局情報記憶手段に所定の登録番号に対応させて登録するとともに、当該登録番号を当該登録要求を行ってきた中継依頼局に送信し、当該中継依頼局が、当該送信されてきた登録番号に基づいて受信局を指定した中継送信依頼要求を行うので、予め中継局に受信局の電話番号等の受信局情報を登録しておく必要がなく、受信局情報を記憶する中継局の受信局情報記憶手段の容量を削減することができ、コストを低減させることができるとともに、受信局情報を中継局で手操作で登録する手間を削減して、利用性を向上させることができる。
【００１８】
請求項２記載の発明のファクシミリシステムによれば、中継局が、受信局情報記憶手段に登録した受信局情報を、所定の有効期間に基づいて管理し、当該有効期間の経過した受信局情報を当該受信局情報記憶手段から削除するので、中継局の受信局情報を記憶する受信局情報記憶手段をより一層有効利用して、当該受信局情報記憶手段の容量をより一層削減することができ、コストをより一層低減させることができる。
【００１９】
請求項３記載の発明のファクシミリシステムによれば、中継局が、受信局情報記憶手段に登録した受信局情報を、当該受信局情報の受信局への中継送信が完了すると、当該受信局情報を当該受信局情報記憶手段から削除するので、中継局の受信局情報を記憶する受信局情報記憶手段をより一層有効利用して、当該受信局情報記憶手段の容量をより一層削減することができ、コストをより一層低減させることができる。
【００２０】
請求項４記載の発明のファクシミリシステムによれば、少なくとも中継依頼局から中継局への中継送信依頼をメール送信により行うので、電話料金を削減しつつ、中継局の受信局情報を記憶する受信局情報記憶手段の容量を削減することができ、コストを低減させることができるとともに、受信局情報を中継局で手操作で登録する手間を削減して、利用性を向上させることができる。
【発明を実施するための最良の形態】
【００２１】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２２】
図１〜図４は、本発明のファクシミリシステムの一実施例を示す図であり、図１は、本発明のファクシミリシステムの一実施例に適用するファクシミリ装置１の概略ブロック構成図である。
【００２３】
図１において、ファクシミリ装置１は、システム制御部２、システムメモリ部３、読取部４、印刷部５、文書蓄積部６、通信制御部７、操作部８、電話番号管理部９及びネットワーク制御部１０等を備えており、上記主要各部は、バス１１に接続されている。
【００２４】
システムメモリ部（受信局情報記憶手段）３は、例えば、バッテリバックアップされたＲＡＭ等で構成され、操作部８のキー操作で入力されたワンタッチダイヤル送信の送信先や短縮ダイヤルの送信先及び電話帳を利用した電話帳送信先等の各送信先について、送信先電話番号、送信先名称等の送信先情報（相手先情報）をワンタッチ番号や短縮番号等に対応させて記憶するとともに、ファクシミリ装置１の動作に必要な各種情報や予め登録される情報を記憶する。特に、システムメモリ部３は、中継送信の受信局の電話番号やメールアドレス等の受信局情報を、所定の登録番号に対応させて記憶する。
【００２５】
システム制御部２は、ＣＰＵ（Central Processing Unit ）、ＲＯＭ（Read Only Memory）及びＲＡＭ（Random Access Memory）等を備え、ＲＯＭ内には、ファクシミリ装置１の基本処理プログラムや後述する中継用電話番号管理処理プログラム等の各種プログラムが格納されているとともに、これらの基本処理プログラム及び中継用受信局情報管理処理プログラム等を実行するのに必要な各種データやシステムデータ等が格納されている。システム制御部２は、そのＣＰＵがＲＡＭをワークメモリとして利用しつつ、ＲＯＭ内のプログラムに基づいてファクシミリ装置１の各部を制御し、ファクシミリ装置１としての基本処理を実行するとともに、後述する中継用受信局情報管理処理を実行する。
【００２６】
読取部４としては、例えば、ＣＣＤ（Charge Coupled Device ）を利用したラインイメージスキャナ等が用いられており、読取部４は、原稿の画像を所定の解像度で読み取って、画情報として出力する。
【００２７】
印刷部５としては、例えば、電子写真式記録装置等が用いられており、印刷部５は、受信画像や読取部４で読み取られた画像を記録紙に記録出力するとともに、各種レポートを記録出力する。
【００２８】
文書蓄積部６は、主に読取部４により読み取られた送信原稿の画情報受信した画情報及びメール受信文書等を蓄積する。
【００２９】
通信制御部７は、公衆回線網ＰＬ（図２参照）に接続されており、Ｇ３／Ｇ４ファクス通信制御、画情報の圧縮再生制御、モデム制御、ＮＣＵ制御等を行う。
【００３０】
操作部８は、テンキーやスタートキー、ファンクションキー、ワンタッチキー及び短縮キー等の各種操作キーを備えるとともに、ディスプレイ（例えば、液晶ディスプレイ）を備え、操作キーからは、送信操作等の各種命令が入力操作され、ディスプレイには、ファクシミリ装置１からオペレータに通知する各種情報を表示する。特に、この操作部８の操作キーを使用して、中継送信の受信局の電話番号やメールアドレス等の受信局情報が入力され、受信局情報が操作部８から入力されると、システム制御部２は、当該入力された受信局情報をシステムメモリ部３に所定の登録番号に対応させて格納するとともに、電話番号管理部９に当該受信局情報を管理させる。
【００３１】
ネットワーク制御部１０は、図示しないＬＡＮ（Local Area Network）等のネットワークを介してインターネットＩＮＴ（図２参照）に接続され、当該ネットワーク及びインターネットＩＮＴに接続されたパーソナルコンピュータ等の端末との間で通信を行って、各種情報の授受、特に、受信局の電話番号やメールアドレス等の受信局情報と当該受信局情報の登録要求を受け取る。
【００３２】
システム制御部２は、ネットワーク制御部１０を介して、受信局情報と受信局情報登録要求を受信すると、当該受信した受信局情報を所定の登録番号に対応させてシステムメモリ部３に格納するとともに、電話番号管理部９に当該受信局情報を管理させる。
【００３３】
電話番号管理部９は、上記操作部８から入力された受信局情報及びネットワークの端末からの登録要求とともに送信されてきた受信局情報が所定の登録番号に対応させてシステム制御部２によりシステムメモリ部３に登録されると、当該システムメモリ部３に登録された各種電話番号、特に、受信局情報を管理する。
【００３４】
次に、本実施例の作用を説明する。上記ファクシミリ装置１は、図２に示すファクシミリシステム２０に適用され、ネットワークに接続された中継送信依頼局から中継送信に際して、中継局に受信局電話番号や受信局メールアドレス等の受信局情報を登録して、当該登録した受信局情報を中継局が管理する。
【００３５】
すなわち、図２に示すように、ファクシミリシステム２０は、ネットワークとしてのインターネットＩＮＴ及び公衆回線網ＰＬにファクシミリ装置ＦＡＸ−Ａとファクシミリ装置ＦＡＸ−Ｂが接続され、また、公衆回線網ＰＬには、ファクシミリ装置ＦＡＸ−Ｃとファクシミリ装置ＦＡＸ−Ｄが接続されている。さらに、インターネットＩＮＴには、インターネットＩＮＴを利用したファクシミリ送信を行うためのメールサーバ３０が接続されている。
【００３６】
このような接続状況において、ファクシミリ装置ＦＡＸ−Ａが中継依頼局となって、ファクシミリ装置ＦＡＸ−Ｂを中継局として、ファクシミリ装置ＦＡＸ−Ｃとファクシミリ装置ＦＡＸ−Ｄを中継受信局として中継送信を行うものとして、以下説明する。
【００３７】
図２の場合、上記ファクシミリ装置１は、中継依頼局としてのファクシミリ装置ＦＡＸ−Ａと中継局としてのファクシミリ装置ＦＡＸ−Ｂに用いられており、受信局としてのファクシミリ装置ＦＡＸ−Ｃ、ＦＡＸ−Ｄは、通常のファクシミリ装置であってもよい。
【００３８】
そして、中継依頼局であるファクシミリ装置ＦＡＸ−Ａは、中継局であるファクシミリ装置ＦＡＸ−Ｂに対して、中継送信依頼要求を行う際に、受信局であるファクシミリ装置ＦＡＸ−Ｃとファクシミリ装置ＦＡＸ−Ｄの電話番号やメールアドレス等の受信局情報の登録を行う。この受信局のファクシミリ装置ＦＡＸ−Ｃ、ＦＡＸ−Ｄの電話番号やメールアドレス等の受信局情報の登録は、まず、図２に通信経路を破線Ｌ１で示すように、インターネットＩＮＴ経由で、中継局であるファクシミリ装置ＦＡＸ−Ｂに発呼して、例えば、Ｇ３の通信プロトコルの受信局に関する情報の中で、受信局の電話番号等の受信局情報を通知する。この受信局情報については、例えば、予め中継局に登録された電話番号の登録番号等であり、ワンタッチ番号での指定では、例えば、「＃○○」、短縮番号での指定では、例えば、「＃＊○○」、グループ番号での指定では、「＃＊＊○○」（○○は番号を示す）である。したがって、中継依頼局のユーザは、中継局であるファクシミリ装置ＦＡＸ−Ｂで受信局の電話番号を登録した際の登録番号を知っている必要があり、そこで、後述するように、中継局のファクシミリ装置ＦＡＸ−Ｂでの受信局の登録番号を中継依頼局に通知する。
【００３９】
そして、中継局であるファクシミリ装置ＦＡＸ−Ｂは、中継依頼局であるファクシミリ装置ＦＡＸ−Ａから、上述のように、受信局の電話番号等の受信局情報と当該受信局情報の登録要求があると、当該送信されてきた受信局情報を所定の登録番号に対応させてシステムメモリ部３に登録して、電話番号管理部９が管理する。このとき、中継依頼局と中継局の通信についてはＷｅｂサービスのインターフェースを利用し、ネットワーク上でデータ登録を可能とする。
【００４０】
このように中継依頼局であるファクシミリ装置ＦＡＸ−Ａは、中継局であるファクシミリ装置ＦＡＸ−Ｂへの受信局情報の登録を完了すると、図２に通信経路を破線Ｌ２で示すインターネットＩＮＴ経由、または、図２に通信経路を破線Ｌ３で示す公衆回線網ＰＬ経由で、中継依頼送信を行い、中継局であるファクシミリ装置ＦＡＸ−Ｂは、中継送信依頼要求があると、当該中継送信依頼要求で受信したデータを、システムメモリ部３に登録されている受信局であって当該中継送信依頼要求で登録番号を用いて指定されている受信局に中継同報送信する。
【００４１】
すなわち、図３に示すように、中継依頼局であるファクシミリ装置ＦＡＸ−Ａは、送信文書の作成を開始すると（ステップＳ１０１）、当該送信が中継依頼送信であるかチェックし（ステップＳ１０２）、中継依頼送信でないときには、通常の送信処理を行う。
【００４２】
ステップＳ１０２で、当該送信が中継依頼送信であると、まず、中継局のファクシミリ装置ＦＡＸ−Ｂの電話番号またはＩＰアドレスの登録を行い（ステップＳ１０４）、受信局の電話番号等の受信局情報の登録処理を行って（ステップＳ１０５）、中継依頼送信する次の受信局があるかチェックする（ステップＳ１０６）。
【００４３】
ステップＳ１０６で、次の受信局があると、ステップＳ１０５に戻って、受信局の電話番号等の受信局情報の登録を行って、次の受信局があるかチェックする処理を、受信局全てについて行う（ステップＳ１０４〜Ｓ１０６）。
【００４４】
ステップＳ１０６で、次の受信局がなくなると、送信文書の作成が終了するのを待って（ステップＳ１０７）、中継依頼送信の受信局の電話番号等の受信局情報を中継局に登録する中継依頼送信の受信局情報登録処理を開始し（ステップＳ１０８）、中継局であるファクシミリ装置ＦＡＸ−ＡにインターネットＩＮＴを経由して受信局情報を登録する（ステップＳ１０９）。
【００４５】
中継局であるファクシミリ装置ＦＡＸ−Ｂは、中継依頼局であるファクシミリ装置ＦＡＸ−Ａからファクシミリプロトコルで受信局情報がインターネットＩＮＴを経由して送信されてくると、当該受信局情報を受け付け（ステップＳ２０１）、受信した当該受信局情報をシステムメモリ部３に登録番号を付与して登録、例えば、上述のように、ワンタッチ番号での指定では、例えば、「＃○○」、短縮番号での指定では、例えば、「＃＊○○」、グループ番号での指定では、「＃＊＊○○」等の登録番号を付加して登録し、当該受信局の登録番号を中継依頼局であるファクシミリ装置ＦＡＸ−Ａに返信する（ステップＳ２０２）。このとき、中継局であるファクシミリ装置ＦＡＸ−Ｂは、登録番号を受信局の数だけ中継依頼局に返信する。
【００４６】
次に、中継依頼局であるファクシミリ装置ＦＡＸ−Ａは、中継局であるファクシミリ装置ＦＡＸ−Ｂから上記受信局の登録番号が送信されてくると、当該受信局の登録番号をシステムメモリ部３に受信局情報に対応させて格納して、電話番号管理部９が管理する（ステップＳ１１０）。
【００４７】
そして、中継依頼局であるファクシミリ装置ＦＡＸ−Ａは、登録番号を取得すると、当該登録番号を用いて中継局に対して中継依頼送信を開始し（ステップＳ１１１）、この中継依頼送信において、上記受け取った受信局の登録番号を送信する（ステップＳ１１２）。
【００４８】
すなわち、中継依頼局は、図４に示すように、Ｇ３手順で中継依頼送信を行う場合、ＮＳＳ信号（非標準機能設定信号）に受信局の登録番号を付加して送信する。
【００４９】
中継依頼局であるファクシミリ装置ＦＡＸ−Ａは、受信局が中継局に登録されていてＣＦＲ信号が返送されてくると、原稿の画情報を中継局のファクシミリ装置ＦＡＸ−Ｂに送信して、中継依頼送信を終了する（ステップＳ１１３）。
【００５０】
中継局であるファクシミリ装置ＦＡＸ−Ｂは、上記ステップＳ２０２で、受信局の登録番号を中継依頼局に返信すると、中継依頼受信を開始し（ステップＳ２０３）、中継依頼局から上記登録番号で受信局が指定され、当該指定された登録番号に対応する受信局情報がシステムメモリ部３に登録されていると、ＣＦＲ信号を返信し、当該受信局をシステムメモリ部３に記憶して（ステップＳ２０４）、その後に、中継依頼局のファクシミリ装置ＦＡＸ−Ａから送信されてくる原稿の画情報を受信して、一旦文書蓄積部６に蓄積した後、指定された受信局であるファクシミリ装置ＦＡＸ−Ｃとファクシミリ装置ＦＡＸ−Ｄに中継同報送信を行って、中継処理を終了する（ステップＳ２０５）。
【００５１】
なお、上記説明では、便宜上、Ｇ３通信として説明したが、Ｇ４通信であっても同様である。
【００５２】
なお、上記説明では、予め中継局に受信局の電話番号を登録しているが、中継依頼送信時に受信局情報そのものを通信プロトコルで通知することもできるが、このようにすると、多数の受信局を指定した場合、図４のＮＳＳ（受信局）／ＣＦＲの時間が桁数が多くなって登録番号等より長くなり、通信時間が長くなるという問題がある。
【００５３】
そして、中継局のファクシミリ装置ＦＡＸ−Ｂは、上記システムメモリ部３に登録した受信局情報を、電話番号管理部９が、当該受信局の電話番号の有効時間に基づいて管理し、登録したときの時間から予め設定された一定の有効時間が経過すると、当該受信局の電話番号をシステムメモリ部３から消去する。なお、この場合、消去するまでの一定有効時間は、中継局としてのファクシミリ装置ＦＡＸ−Ｂの操作部８や中継依頼局のファクシミリ装置ＦＡＸ−Ａからの指示で適宜設定できるようにしてもよい。
【００５４】
また、中継局としてのファクシミリ装置ＦＡＸ−Ｂは、システムメモリ部３に登録した受信局の電話番号を中継処理が全て終了すると、システムメモリ部３から消去するようにしてもよい。
【００５５】
このように本実施例のファクシミリシステム２０は、所定のネットワークであるインターネットＩＮＴ及び公衆回線網ＰＬを介して中継局であるファクシミリ装置ＦＡＸ−Ｂに接続された中継送信依頼局であるファクシミリ装置ＦＡＸ−Ａが、中継送信依頼要求に際して、中継送信先の受信局であるファクシミリ装置ＦＡＸ−Ｃ、ＦＡＸ−Ｄの電話番号またはアドレス等の受信局情報を予め中継局のファクシミリ装置ＦＡＸ−Ｂに送信して登録要求を行い、当該登録要求を受けた中継局のファクシミリ装置ＦＡＸ−Ｂが、当該送信されてきた受信局情報をシステムメモリ部３に所定の登録番号に対応させて登録するとともに、当該登録番号を当該登録要求を行ってきた中継依頼局のファクシミリ装置ＦＡＸ−Ａに送信し、中継依頼局のファクシミリ装置ＦＡＸ−Ａが、当該送信されてきた登録番号に基づいて受信局を指定した中継送信依頼要求を行っている。
【００５６】
したがって、予め中継局のファクシミリ装置ＦＡＸ−Ｂに受信局の電話番号等の受信局情報を登録しておく必要がなく、受信局情報を記憶する中継局のシステムメモリ部３の容量を削減することができ、コストを低減させることができるとともに、受信局情報を中継局で手操作で登録する手間を削減して、利用性を向上させることができる。
【００５７】
また、本実施例のファクシミリシステム２０によれば、中継局が、システムメモリ部３に登録した受信局情報を、所定の有効期間に基づいて管理し、当該有効期間の経過した受信局情報をシステムメモリ部３から削除している。
【００５８】
したがって、中継局の受信局情報を記憶するシステムメモリ部３をより一層有効利用して、システムメモリ部３の容量をより一層削減することができ、コストをより一層低減させることができる。
【００５９】
さらに、本実施例のファクシミリシステム２０によれば、中継局が、システムメモリ部３に登録した受信局情報を、当該受信局情報の受信局への中継送信が完了すると、当該受信局情報をシステムメモリ部３から削除している。
【００６０】
したがって、中継局の受信局情報を記憶するシステムメモリ部３をより一層有効利用して、システムメモリ部３の容量をより一層削減することができ、コストをより一層低減させることができる。
【００６１】
また、上記説明では、中継依頼送信を、図２の破線Ｌ２で示す公衆回線網ＰＬを使用した通信経路で行っているが、中継依頼送信を、図２の破線Ｌ３で示すインターネットＩＮＴを使用したインターネットファクシミリの通信経路で行ってもよい。
【００６２】
この場合、中継依頼局であるファクシミリ装置ＦＡＸ−Ａから中継局であるファクシミリ装置ＦＡＸ−Ｂへの中継依頼送信は、インターネットＩＮＴに接続されているメールサーバ３０を介して、中継依頼メールで行う。この場合、通信プロトコルではなくメールボディに以下の情報を設定して中継依頼送信を行う。受信局の宛先情報部分を中継局であるファクシミリ装置ＦＡＸ−Ｂから返送された登録番号とすることで、上述のように受信局を特定することができる。なお、中継同報送信をメール送信する場合は、受信局の宛先登録は、電話番号を用いるだけでなく、メール宛先を用いてもよい。
【００６３】
icfax@toda.abcde.co.jp・・・中継局のアドレス
Relay-ID:1234・・・４桁のポーリングＩＤ
Relay:#01#*02#**03・・・受信局の宛先情報
このようにすると、電話料金を削減しつつ、中継局の受信局情報を記憶するシステムメモリ３の容量を削減することができ、コストを低減させることができるとともに、受信局の電話番号を中継局で手操作で登録する手間を削減して、利用性を向上させることができる。
【００６４】
以上、本発明者によってなされた発明を好適な実施の形態に基づき具体的に説明したが、本発明は上記のものに限定されるものではなく、その要旨を逸脱しない範囲で種々変更可能であることはいうまでもない。
【産業上の利用可能性】
【００６５】
電話回線やインターネット等を利用した中継送信を中継局のメモリを圧迫することなく、効率的に行うファクシミリシステムに適用することができる。
【図面の簡単な説明】
【００６６】
【図１】本発明のファクシミリシステムの一実施例のファクシミリシステムに適用されるファクシミリ装置の要部回路ブロック構成図。
【図２】図１のファクシミリ装置の適用されるファクシミリシステムのシステム構成図。
【図３】図２のファクシミリシステムでの中継送信処理を示すフローチャート。
【図４】図３のＧ３通信による中継送信処理でのファクシミリプロトコルのタイミングチャート。
【符号の説明】
【００６７】
１    ファクシミリ装置
２    システム制御部
３    システムメモリ部
４    読取部
５    印刷部
６    文書蓄積部
７    通信制御部
８    操作部
９    電話番号管理部
１０  ネットワーク制御部
１１  バス
３０  サーバ
ＰＬ  公衆回線網
ＩＮＴ  インターネット
ＦＡＸ−Ａ、ＦＡＸ−Ｂ、ＦＡＸ−Ｃ、ＦＡＸ−Ｄ  ファクシミリ装置
【図１】
2005094582.tif 000003
【図２】
2005094582.tif 000004
【図３】
2005094582.tif 000005
【図４】
2005094582.tif 000006